(57)【要約】【課題】４原色の色純度を低下させることなく、各画素の輝度を増加させることができる液晶表示装置及び液晶テレビを提供する。【解決手段】赤、緑、青及び黄の４原色カラーフィルタ１３を有する液晶パネル１１と、赤、緑及び青の光を液晶パネル１１に照射するＲ−ＬＥＤ，Ｇ−ＬＥＤ及びＢ−ＬＥＤを有するバックライト１２と、入力されたカラー映像信号を、カラー映像に係る赤、緑、青及び黄を示す信号に変換するテレビ信号処理部７とを備えた液晶テレビが、赤又は緑を表示する場合、Ｒ−ＬＥＤ又はＧ−ＬＥＤの輝度を増加させる。【選択図】図２
2013134458.tif 000002
【特許請求の範囲】
【請求項１】
赤、緑及び青に係るカラーフィルタ並びに各色と補色関係にあるシアン、マゼンタ及び黄色の内の少なくとも一つの補色に係るカラーフィルタを有する液晶パネルと、赤、緑及び青の光を前記液晶パネルにそれぞれ照射する複数の光源を有する面状のバックライトとを備え、入力されたカラー映像信号を、カラー映像に係る赤、緑、青及び前記補色を示す信号に変換し、変換された各信号を用いてカラー映像を表示するようにしてある液晶表示装置において、
前記補色と補色関係にある赤、緑又は青を表示する場合、前記バックライトを構成する複数のエリア毎に、各エリアに含まれる赤、緑又は青の光を照射する光源の輝度を上昇させるバックライト制御部を備える
ことを特徴とする液晶表示装置。
【請求項２】
前記液晶パネルは、黄色に係るカラーフィルタを有し、
前記バックライト制御部は、
黄を表示する場合、赤及び緑の光源の輝度を上昇させるようにしてある
ことを特徴とする請求項１に記載の液晶表示装置。
【請求項３】
前記バックライト制御部による光源の輝度上昇の要否を受け付ける要否受付部を備え、
前記バックライト制御部は、
前記要否受付部にて輝度上昇を要することを受け付けた場合、各光源の輝度を上昇させるようにしてある
ことを特徴とする請求項１又は請求項２に記載の液晶表示装置。
【請求項４】
前記カラー映像の種類を判定する判定部を備え、
前記バックライト制御部は、
前記判定部の判定結果に応じて各光源の輝度を上昇させるようにしてある
ことを特徴とする請求項１から請求項３までのいずれか一つに記載の液晶表示装置。
【請求項５】
前記カラー映像信号の送出元の機器を判定する判定部を備え、
前記バックライト制御部は、
前記判定部の判定結果に応じて各光源の輝度を上昇させるようにしてある
ことを特徴とする請求項１から請求項３までのいずれか一つに記載の液晶表示装置。
【請求項６】
前記バックライト制御部が上昇させる各光源の輝度に応じたガンマ補正処理を、各色の信号に行うガンマ補正処理部を備える
ことを特徴とする請求項１から請求項５までのいずれか一つに記載の液晶表示装置。
【請求項７】
カラー映像信号を受信する映像受信部と、
請求項１から請求項６までのいずれか一つに記載の液晶表示装置と
を備え、
前記液晶表示装置が、前記映像受信部が受信したカラー映像信号に基づいてカラー映像を表示するようにしてあることを特徴とする液晶テレビ。
【発明の詳細な説明】
【技術分野】
【０００１】
本発明は、４原色のカラー映像を表示する液晶表示装置及び液晶テレビに関する。
【背景技術】
【０００２】
近年、液晶テレビの高画質化が進んでおり、液晶パネルを３原色から４原色にすることで、色再現範囲を拡大させた４原色液晶表示装置が提案されている（例えば、特許文献１）。例えば、赤、緑、青及び黄を４原色とすることによって、液晶パネルの黄色及びシアンの色域を広げることができる。原色として黄色を追加することによって、緑の色域を広げ、これにより緑及び青の補色であるシアンの色域を広げることが可能になる。
【先行技術文献】
【特許文献】
【０００３】
【特許文献１】特許第４０３４０２２号公報
【発明の概要】
【発明が解決しようとする課題】
【０００４】
しかしながら、４原色液晶表示装置においては、３原色液晶表示装置に比べて、単位表示面積あたりの赤、緑、青及び黄の画素の面積が小さく、各画素の輝度が低下するという問題があった。この輝度低下の問題は、原色に近い色、特に赤及び緑を表示する際、顕著になる。
なお、この問題を解決する方法として、バックライトの色味を変更する或いは、緑及び赤のカラーフィルタの色味を変更する方法が考えられるがどちらの方法でも、画素の大きさが同一で輝度を増加させる為には、色純度を落とす必要があり、通常の緑及び赤の色域を再現できなくなってしまう。
【０００５】
本発明は斯かる事情に鑑みてなされたものであり、４原色の色純度を低下させることなく、各画素の輝度を増加させることができる液晶表示装置及び液晶テレビを提供することを目的とする。
【課題を解決するための手段】
【０００６】
本発明に係る液晶表示装置は、赤、緑及び青に係るカラーフィルタ並びに各色と補色関係にあるシアン、マゼンタ及び黄色の内の少なくとも一つの補色に係るカラーフィルタを有する液晶パネルと、赤、緑及び青の光を前記液晶パネルにそれぞれ照射する複数の光源を有する面状のバックライトとを備え、入力されたカラー映像信号を、カラー映像に係る赤、緑、青及び前記補色を示す信号に変換し、変換された各信号を用いてカラー映像を表示するようにしてある液晶表示装置において、前記補色と補色関係にある赤、緑又は青を表示する場合、前記バックライトを構成する複数のエリア毎に、各エリアに含まれる赤、緑又は青の光を照射する光源の輝度を上昇させるバックライト制御部を備えることを特徴とする。
【０００７】
本発明に係る液晶表示装置は、前記液晶パネルは、黄色に係るカラーフィルタを有し、前記バックライト制御部は、黄を表示する場合、赤及び緑の光源の輝度を上昇させるようにしてあることを特徴とする。
【０００８】
本発明に係る液晶表示装置は、前記バックライト制御部による光源の輝度上昇の要否を受け付ける要否受付部を備え、前記バックライト制御部は、前記要否受付部にて輝度上昇を要することを受け付けた場合、各光源の輝度を上昇させるようにしてあることを特徴とする。
【０００９】
本発明に係る液晶表示装置は、前記カラー映像の種類を判定する判定部を備え、前記バックライト制御部は、前記判定部の判定結果に応じて各光源の輝度を上昇させるようにしてあることを特徴とする。
【００１０】
本発明に係る液晶表示装置は、前記カラー映像信号の送出元の機器を判定する判定部を備え、前記バックライト制御部は、前記判定部の判定結果に応じて各光源の輝度を上昇させるようにしてあることを特徴とする。
【００１１】
本発明に係る液晶表示装置は、前記バックライト制御部が上昇させる各光源の輝度に応じたガンマ補正処理を、各色の信号に行うガンマ補正処理部を備えることを特徴とする。
【００１２】
本発明に係る液晶テレビは、カラー映像信号を受信する映像受信部と、上述したいずれかの液晶表示装置とを備え、前記液晶表示装置が、前記映像受信部が受信したカラー映像信号に基づいてカラー映像を表示するようにしてあることを特徴とする。
【００１３】
本発明にあっては、液晶パネルが赤、緑及び青に係るカラーフィルタ並びに各色と補色関係にあるシアン、マゼンタ及び黄色の内の少なくとも一つの補色に係るカラーフィルタを有する。またバックライトは赤、緑及び青の光をそれぞれ照射する複数の光源を有し、予め分割された複数エリア毎に、各エリアに含まれる光源の動作が制御される。前記補色と補色関係にある赤、緑又は青を表示するとき、バックライトのエリア毎に、各エリアに含まれる赤、緑又は青の光源の輝度を上昇させることによって、各色の輝度を増加させることができる。
特に、４原色液晶表示装置において輝度低下が顕著である原色の赤又は緑を表示するときに、赤又は緑の光源の輝度を上昇させることによって、原色の赤又は緑の輝度を増加させることができる。
【００１４】
本発明にあっては、液晶パネルが赤、緑及び青、並びに黄色に係るカラーフィルタを有する。黄を表示する場合、赤及び緑の光源の輝度を上昇させることによって、ＣＣＩＲ（国際無線通信諮問委員会）のＲＥＣ７０９等の白色構成比率に近づけることが可能である。
【００１５】
本発明にあっては、各光源の輝度を個別に上昇させる処理の要否を受け付け、輝度上昇を要することを受け付けた場合、対応する各光源の輝度を上昇させる。使用者は、４原色パネルの最大の特徴である高色再現性をキープしたまま、白色構成比率をＲＥＣ７０９に近づけるモードと、色再現範囲もＲＥＣ７０９に沿わせ白色構成比率もカバーするモードとを選択することができる。
【００１６】
本発明にあっては、使用者が視聴しているコンテンツ（カラー映像）の種類に応じて、各光源の輝度を上昇させる処理を行うか否かを自動的に切り替えることが可能である。よって、それぞれのコンテンツを最適な画質で表示できる。
【００１７】
本発明にあっては、表示すべきカラー映像信号の送出元の機器に応じて、各光源の輝度を上昇させる処理を行うか否かを自動的に切り替えることが可能である。よって、使用者が選択した入力ソース（機器）毎に、各入力ソースから出力される映像信号を最適な画質で表示できる。例えば、ＢＤ（Blu-ray Disc）レコーダからの映像信号を表示する場合には、映画に適した処理を行い、ゲーム機からの映像信号を表示する場合には、ゲームに適した処理を行うことができる。
【００１８】
本発明にあっては、赤、緑又は青の各光源の輝度が上昇された場合に、上昇された輝度に応じたガンマ補正処理を行う。よって、入力されたカラー映像信号（３色信号）を、赤、緑、青及び補色を示す信号（４色信号）に変換する際に、各光源の輝度調整処理を行うと共に、輝度調整処理に応じたガンマ補正処理の実行が可能である。
【発明の効果】
【００１９】
本発明によれば、４原色の色純度を低下させることなく、各画素の輝度を増加させることができる。
【図面の簡単な説明】
【００２０】
【図１】本発明に係る液晶テレビの一構成例を示す正面側の分解斜視図である。
【図２】液晶テレビの要部の一構成例を示したブロック図である。
【図３】４原色カラーフィルタの一構成例を模式的に示した説明図である。
【図４】バックライトの一構成例を模式的に示した説明図である。
【図５】テレビ信号処理部の一構成例を示したブロック図である。
【図６】バックライトのエリア制御例を模式的に示した説明図である。
【図７】テレビ信号処理部の処理手順を示したフローチャートである。
【図８】テレビ信号処理部のバックライトエリア制御回路によるバックライトの制御によって生じた各原色における輝度変化を示した図表である。
【図９】テレビ信号処理部のバックライトエリア制御回路によるバックライトの制御によって生じた効果を示したＸＹ色度図である。
【図１０】輝度変更の前後における各原色が白を構成する輝度の割合、及びＲＥＣ７０９規格における白を構成する各原色の輝度の割合を示した図表である。
【図１１】変形例１に係る４原色カラーフィルタの一構成例を模式的に示した説明図である。
【図１２】変形例２に係る４原色カラーフィルタの一構成例を模式的に示した説明図である。
【図１３】テレビ信号処理部７の一構成例を示したブロック図である。
【図１４】実施の形態２のテレビ信号処理部７の処理手順を示したフローチャートである。
【図１５】実施の形態２のテレビ信号処理部７の処理手順を示したフローチャートである。
【発明を実施するための形態】
【００２１】
以下、本発明をその実施の形態を示す図面に基づいて詳述する。
【００２２】
（実施の形態１）
図１は、本発明の実施の形態に係る液晶テレビの一構成例を示す正面側の分解斜視図である。本実施の形態に係る液晶テレビは、従来の４原色液晶パネルでは不可能であった緑及び赤の輝度低下を抑え、３原色液晶パネルと同等の明るさを維持することを可能にするものである。液晶テレビは、前側に表示面を有し、横長板状の略直方体をなす液晶パネルモジュール１と、液晶パネルモジュール１の周縁部を取り囲むフロントキャビネット２と、液晶パネルモジュール１の後側を覆うバックキャビネット３と、映像信号を受信するチューナ（映像受信部）４と、電気回路５と、液晶パネルモジュール１を起立状態で支持するスタンド６とを備える。
【００２３】
図２は、液晶テレビの要部の一構成例を示したブロック図である。
液晶テレビは、液晶パネルモジュール１と、チューナ４で受信したカラー映像信号を、カラー映像に係る赤、緑、青及び黄を示す信号に変換するテレビ信号処理部７と、各種操作を受け付ける受付部８とを有する。なお、テレビ信号処理部７及び液晶パネルモジュール１によって、本発明に係る液晶表示装置は実現される。
液晶パネルモジュール１は、赤（Ｒ）、緑（Ｇ）、青（Ｂ）及び黄（Ｙ）の４原色カラーフィルタ１３を有する液晶パネル１１と、液晶パネル１１を背面側から照明するバックライト１２と、テレビ信号処理部７により変換された赤、緑、青及び黄の信号に従って液晶パネル１１を駆動し、カラー映像を表示させる液晶駆動回路部１４と、テレビ信号処理部７からの制御信号に従ってバックライト１２を駆動するバックライト駆動回路部１５とを含む。
【００２４】
液晶パネル１１は、スペーサを介して対向配置された略長方形の２枚のガラス基板間に液晶を封入してなり、正面側のガラス基板の対向面には、４原色カラーフィルタ１３と、対向電極とが配されている。背面側のガラス基板の対向面には、横方向の走査線及び縦方向の信号線がマトリクス状に配されており、走査線と信号線との交差部分には、各画素に対応した液晶部分に電圧を印加するためのアクティブ素子、例えばＴＦＴ（Thin Film Transistor）及び画素電極が設けられている。各ＴＦＴのゲート電極は走査線に接続され、ソース電極は信号線に接続されている。また、各ガラス基板の外側には、ＴＦＴがオフの状態でバックライト１２の光が透過するように図示しない偏光フィルムが配されている。
【００２５】
図３は、４原色カラーフィルタ１３の一構成例を模式的に示した説明図である。
４原色カラーフィルタ１３は、図３Ａのように、液晶パネル１１の各画素に対応するように配列した赤、緑、青及び黄色の４色の画素フィルタを有する。画素フィルタの配列方法は特に限定されるものではないが、例えば図３Ａに示すように、横方向に赤（Ｒ）、緑（Ｇ）、青（Ｂ）、黄色（Ｙ）の各画素フィルタを配列すれば良い。他の例としては、液晶パネル１１の各画素に対応するように配列した赤、緑、青及び黄の４色の画素フィルタが図３Ｂに示すように横方向に赤（Ｒ）及び青（Ｂ）の画素フィルタが交互に配列したＲＢ横列と、横方向に黄（Ｙ）及び緑（Ｇ）の画素フィルタが交互に配列したＹＧ横列とが、縦方向に隣り合うように配列させたものでも、図３Ｃに示すように、赤（Ｒ）、青（Ｂ）、黄（Ｙ）及び緑（Ｇ）の画素ファイルを横方向にこの順で繰り返し配列したＲＢＹＧ列を上下方向に配列させ、上下方向に隣り合った各ＲＢＹＧ列は横方向に２画素分ずらすようにしたものでも良い。
【００２６】
液晶駆動回路部１４は、液晶パネル１１の走査線に接続された走査信号駆動回路１４ａと、信号線に接続された信号電極駆動回路１４ｂとを有する。走査信号駆動回路１４ａは、例えば、シフトレジスタ回路で構成されており、走査信号を各走査線に順次与えることによって、横方向に並んだＴＦＴのゲートをオン状態にする。信号電極駆動回路１４ｂは、例えばシフトレジスタ回路とサンプルホールド回路とから構成され、各信号線に、赤、緑、青及び黄の信号を出力する。該信号は、縦方向に並んだＴＦＴゲートのドレイン又はソースに印加される。
走査信号駆動回路１４ａが一の走査線に走査信号を印加することによって、水平方向のＴＦＴを一斉にオン状態とし、その間に信号電極駆動回路１４ｂが一水平ライン分の赤、緑、青及び黄のカラー映像に係る信号を信号線に印加することで、走査線及び信号線の交点画素にカラー映像に係る情報を書き込むことができる。これを縦方向に順次走査することにより、赤、緑、青及び黄のカラー映像に係る信号の電圧が液晶パネル１１の全画素に対応する画素電極に印加される。液晶層を通過する光透過量は、画素電極に印加された電圧によって変化するため、バックライト１２の光透過量がカラー映像に係る信号の大きさによって制御される。赤、緑、青及び黄の各画素フィルタを透過した４色の光は、加法混色の原理により、フルカラー映像として視聴者に表示される。
【００２７】
バックライト１２は、平皿状のバックライトシャーシ、バックライトシャーシに配された反射シート及び複数の光源を有する。図４は、バックライト１２の一構成例を模式的に示した説明図である。バックライト１２は、矩形状の複数のエリア１２０に全体が分割されており、各エリア１２０にはそれぞれ赤（Ｒ）のＬＥＤ１２Ｒ、緑（Ｇ）のＬＥＤ１２Ｇ及び青（Ｂ）のＬＥＤ１２Ｂの３色のＬＥＤ（Light-Emitting Diode）が設けられている。２次元状に設けられた複数のＬＥＤが発光することにより、バックライト１２は面状に発光する。なお、図４では、各エリア１２０には、ＬＥＤ１２Ｒ，１２Ｇ，１２Ｂがそれぞれ１個ずつ設けられているが、複数個ずつ設けられていてもよい。バックライト１２は、エリア１２０毎に発光を制御される。このようなバックライト１２を用いることにより、エリア１２０毎に発光率を高低させるのみではなく、各エリア１２０内のＬＥＤ１２Ｒ，１２Ｇ，１２Ｂの輝度をそれぞれ制御できる。
またバックライト１２の正面側には、バックライト１２からの光を均一に拡散させ、液晶パネル１１に入射させるための光学シートが配されている。
【００２８】
バックライト駆動回路部１５は、バックライト１２の赤のＬＥＤ（Ｒ−ＬＥＤ）１２Ｒの発光を制御するＲ−ＬＥＤ駆動回路１５Ｒと、緑のＬＥＤ（Ｇ−ＬＥＤ）１２Ｇの発光を制御するＧ−ＬＥＤ駆動回路１５Ｇと、青のＬＥＤ（Ｂ−ＬＥＤ）１２Ｂの発光を制御するＢ−ＬＥＤ駆動回路１５Ｂとを有する。Ｒ−ＬＥＤ駆動回路１５Ｒ、Ｇ−ＬＥＤ駆動回路１５Ｇ及びＢ−ＬＥＤ駆動回路１５Ｂは、テレビ信号処理部７からの制御信号に基づいて、バックライト１２のエリア毎に、ＬＥＤ１２Ｒ，１２Ｇ，１２Ｂのそれぞれの輝度（発光率）を制御する。具体的には、バックライト駆動回路部１５は、各エリアが照明する液晶パネル１１中の各領域に表示される映像の階調値に応じた輝度となるように、ＬＥＤ１２Ｒ，１２Ｇ，１２Ｂを個別に制御する。
【００２９】
受付部８は、例えば図示しない遠隔操作装置から送信された赤外線の遠隔操作信号を受信する赤外線受信素子を備え、表示モード受付部（要否受付部）８ａとして機能する。
表示モード受付部８ａは、本実施の形態に係る信号処理が実行する第１表示モードと、本実施の形態に係る信号処理が実行しない第２表示モードとの選択を受け付ける。第１モードは、例えば、いわゆるシネマモード及び、ＴＨＸモードであり、第２表示モードは、ダイナミックモードである。
【００３０】
図５は、テレビ信号処理部７の一構成例を示したブロック図である。テレビ信号処理部７は、色属性変更回路７１と、ガンマ補正回路７２と、色変換回路７３と、バックライトエリア制御回路７４とを有する。
【００３１】
色属性変更回路７１は、入力されたカラー映像信号の色属性を変更し、赤（Ｒ）、緑（Ｇ）、青（Ｂ）、黄（Ｙ）、シアン（Ｃ）、マゼンタ（Ｍ）の信号をそれぞれ適宜変更する処理を行う回路であり、赤を基準にして色属性を変更するＲ系統色属性変更部７１Ｒを有する。Ｒ系統色属性変更部７１Ｒは、飽和度（彩度）を変更する飽和度制御回路７１１Ｒ、輝度（明度）を変更する輝度制御回路７１２Ｒ、及び色相を変更する色相制御回路７１３Ｒから構成されており、受付部８で受け付けた操作指示に従って、カラー映像信号の飽和度、輝度及び色相を変更する。同様に、色属性変更回路７１は、緑、青、黄、シアン、マゼンタをそれぞれ基準にして色属性を変更するＧ系統色属性変更部７１Ｇ、Ｂ系統色属性変更部７１Ｂ、Ｙ系統色属性変更部７１Ｙ、Ｃ系統色属性変更部７１Ｃ及びＭ系統色属性変更部７１Ｍを有する。そして、色属性変更回路７１は、色属性の変更処理を終えた赤（Ｒ）、緑（Ｇ）、青（Ｂ）、黄（Ｙ）、シアン（Ｃ）、マゼンタ（Ｍ）の信号をガンマ補正回路７２に与える。
【００３２】
ガンマ補正回路７２は、各色の信号のガンマ補正処理を行い、ガンマ補正された赤（Ｒ）、緑（Ｇ）及び青（Ｂ）の信号を色変換回路７３に与える。
【００３３】
色変換回路７３は、ガンマ補正回路７２から与えられた赤、緑及び青の信号を、４原色カラーフィルタ１３の各カラー画素に対応する赤、緑、青及び黄の信号に変換する。この変換処理は、赤、緑及び青の信号レベルと、赤、緑、青及び黄の信号レベルとの関係を記憶した図示しないルックアップテーブル（ＬＵＴ：Look Up Table）を用いて行うと良い。また、マトリクス変換等の線形変換によって、各色の信号を変換するようにしても良い。色変換回路７３で処理される信号は、アナログの信号、デジタルデータの信号のいずれであっても良い。色変換回路７３は、色変換後の赤、緑、青及び黄の信号をバックライトエリア制御回路７４及び液晶パネルモジュール１の液晶駆動回路部１４に与える。
【００３４】
バックライトエリア制御回路７４は、色変換回路７３から与えられた赤、緑、青及び黄の信号に基づいて、バックライト１２の各エリア１２０が照明する液晶パネル１１中の領域毎に、各領域に表示される映像の階調値を検出する。例えばバックライトエリア制御回路７４は、各領域における赤、緑、青及び黄の各信号の平均値を算出する。そして、各領域において赤又は緑を表示させる場合、バックライトエリア制御回路（バックライト制御部）７４は、バックライト１２の対応するエリア１２０におけるＲ−ＬＥＤ１２Ｒ又はＧ−ＬＥＤ１２Ｇの輝度（発光率）を上昇させるための制御信号を液晶パネルモジュール１のバックライト駆動回路部１５に与える。
【００３５】
例えば、各領域における赤の信号レベルの平均値が第１信号レベル以上であり、かつ他の色の信号レベルの平均値が該第１信号レベルより小さい第２信号レベル未満である場合、バックライトエリア制御回路７４は、対応するエリア１２０におけるＲ−ＬＥＤ１２Ｒの輝度を上昇させる制御信号を与える。ここでは、各色が２５６階調で表現されるものとした場合、第１信号レベルは２００、第２信号レベルは１である例を説明する。同様に各領域における緑の信号レベルの平均値が第１信号レベル以上であり、かつ他の色の信号レベルの平均値が第２信号レベル未満である場合、バックライトエリア制御回路７４は、対応するエリア１２０におけるＧ−ＬＥＤ１２Ｇの輝度を上昇させる制御信号を与える。なお、第１信号レベル及び第２信号レベルは、このような値に限定されない。
【００３６】
また各領域において黄を表示させる場合、バックライトエリア制御回路７４は、バックライト１２の対応するエリア１２０におけるＲ−ＬＥＤ１２Ｒ及びＧ−ＬＥＤ１２Ｇの輝度（発光率）を上昇させるための制御信号を与える。
例えば、各領域における黄の信号レベルの平均値が第１信号レベル以上であり、かつ他の色の信号レベルの平均値が第２信号レベル未満である場合、バックライトエリア制御回路７４は、対応するエリア１２０におけるＲ−ＬＥＤ１２Ｒ及びＧ−ＬＥＤ１２Ｇの輝度を上昇させる制御信号を与える。なお、Ｒ−ＬＥＤ１２Ｒ及びＧ−ＬＥＤ１２Ｇの輝度の変更量は、所定の規格、例えばＣＣＩＲのＲＥＣ７０９の白色構成比率に合うように設定すると良い。また、赤又は緑を表示させる場合と、黄を表示させる場合とにおいて、Ｒ−ＬＥＤ１２Ｒ及びＧ−ＬＥＤ１２Ｇの輝度の変更量は異なる値を設定しても良い。
【００３７】
図６は、バックライト１２のエリア制御例を模式的に示した説明図である。図６に示す映像は、緑色の山の上に赤色の太陽（夕日）があり、山の麓（映像の下側）に青色の湖があり、夕日が湖に映っている映像である。図６に示した例では、８×４の３２エリアに分割されており、各エリア毎に、ＬＥＤ１２Ｒ，１２Ｇ，１２Ｂの各輝度が制御される。なお、バックライト１２を分割するエリア１２０の数は３２個に限定されない。図６に示す映像では、例えば夕日を表示する領域Ｒ１では赤を表示させるので、バックライトエリア制御回路７４は、領域Ｒ１に対向するエリア１２０におけるＲ−ＬＥＤ１２Ｒの輝度を上昇させる制御信号をバックライト駆動回路部１５に与える。また山を表示する領域Ｒ２では緑を表示させるので、バックライトエリア制御回路７４は、領域Ｒ２に対向するエリア１２０におけるＧ−ＬＥＤ１２Ｇの輝度を上昇させる制御信号をバックライト駆動回路部１５に与える。なお、図６では、領域Ｒ１，Ｒ２をそれぞれ２箇所のみ示している。
【００３８】
液晶パネルモジュール１のバックライト駆動回路部１５において、ＬＥＤ駆動回路１５Ｒ，１５Ｇ，１５Ｂは、色変換回路７３から与えられた赤、緑、青及び黄の信号に基づく輝度となるように、各ＬＥＤ１２Ｒ，１２Ｇ，１２Ｂを駆動させる。そして、バックライトエリア制御回路７４からＲ−ＬＥＤ１２Ｒ又はＧ−ＬＥＤ１２Ｇの輝度を上昇させる制御信号が与えられた場合、ＬＥＤ駆動回路１５Ｒ又は１５Ｇは、所定量上昇させた輝度となるように、各ＬＥＤ１２Ｒ又は１２Ｇを駆動させる。具体的には、ＬＥＤ駆動回路１５Ｒ又は１５Ｇは、ＬＥＤのゲインを、赤又は緑の信号に基づくゲインに所定量を加算した値に変更することにより、ＬＥＤ１２Ｒ又は１２Ｇの輝度が所定量上昇される。
【００３９】
４原色液晶表示装置において赤又は緑を表示させた場合に赤又は緑の輝度低下が顕著であるが、上述のように赤又は緑を表示させる際にＬＥＤ１２Ｒ又は１２Ｇの輝度を上昇させることによって、ＲＥＣ７０９規格における白を構成する各原色の輝度の割合を満足することができる。また、バックライト１２の輝度を変更することによって赤又は緑を表示させた際の赤又は緑の輝度を上昇させるので、映像信号を処理する場合と比較して、色純度を悪化させることなく赤、緑及び青の輝度を改善することができる。
なお、バックライトエリア制御回路７４によってバックライト１２のエリア１２０毎に各ＬＥＤ１２Ｒ又は１２Ｇの輝度が制御される処理は、表示モード受付部８ａが第１表示モードの選択を受け付けた場合にのみ実行される。
【００４０】
図７は、テレビ信号処理部７の処理手順を示したフローチャートである。テレビ信号処理部７は、表示モード受付部８ａで、第１表示モードを受け付けた場合、以下の処理を実行する。テレビ信号処理部７は、色変換回路７３によって変換された赤、緑、青及び黄の信号に基づいて、バックライト１２の各エリア１２０に対応する液晶パネル１１の領域毎に、赤、緑、青及び黄の信号の平均値を算出する（ステップＳ１１）。テレビ信号処理部７は、算出した各信号の平均値に基づいて、各領域における信号が赤であるか否かを判定する（ステップＳ１２）。例えば、テレビ信号処理部７は、各領域における赤の信号レベルの平均値が２００以上であり、緑、青及び黄の信号レベルの平均値が０であるか否かを判定する。
【００４１】
各領域における信号が赤であると判定した場合（ステップＳ１２：ＹＥＳ）、テレビ信号処理部７は、各領域に対応するバックライト１２のエリア１２０におけるＲ−ＬＥＤ１２Ｒの輝度を上昇させ（ステップＳ１３）、処理を終える。具体的には、テレビ信号処理部７は、対応するエリア１２０におけるＲ−ＬＥＤ１２Ｒの輝度を上昇させるための制御信号を液晶パネルモジュール１に与える。
【００４２】
各領域における信号が赤でないと判定した場合（ステップＳ１２：ＮＯ）、テレビ信号処理部７は、算出した各信号の平均値に基づいて、各領域における信号が緑であるか否かを判定する（ステップＳ１４）。例えば、テレビ信号処理部７は、各領域における緑の信号レベルの平均値が２００以上であり、赤、青及び黄の信号レベルの平均値が０であるか否かを判定する。各領域における信号が緑であると判定した場合（ステップＳ１４：ＹＥＳ）、テレビ信号処理部７は、各領域に対応するバックライト１２のエリア１２０におけるＧ−ＬＥＤ１２Ｇの輝度を上昇させ（ステップＳ１５）、処理を終える。具体的には、テレビ信号処理部７は、対応するエリア１２０におけるＧ−ＬＥＤ１２Ｇの輝度を上昇させるための制御信号を液晶パネルモジュール１に与える。
【００４３】
各領域における信号が緑でないと判定した場合（ステップＳ１４：ＮＯ）、テレビ信号処理部７は、算出した各信号の平均値に基づいて、各領域における信号が黄であるか否かを判定する（ステップＳ１６）。例えば、テレビ信号処理部７は、各領域における黄の信号レベルの平均値が２００以上であり、赤、青及び緑の信号レベルの平均値が０であるか否かを判定する。各領域における信号が黄であると判定した場合（ステップＳ１６：ＹＥＳ）、テレビ信号処理部７は、各領域に対応するバックライト１２のエリア１２０におけるＲ−ＬＥＤ１２Ｒ及びＧ−ＬＥＤ１２Ｇの輝度を上昇させ（ステップＳ１７）、処理を終える。具体的には、テレビ信号処理部７は、対応するエリア１２０におけるＲ−ＬＥＤ１２Ｒ及びＧ−ＬＥＤ１２Ｇの輝度を上昇させるための制御信号を液晶パネルモジュール１に与える。各領域における信号が黄でないと判定した場合（ステップＳ１６：ＮＯ）、テレビ信号処理部７は処理を終える。
【００４４】
図８は、テレビ信号処理部７のバックライトエリア制御回路７４によるバックライト１２の制御によって生じた各原色における輝度変化を示した図表、図９は、テレビ信号処理部７のバックライトエリア制御回路７４によるバックライト１２の制御によって生じた効果を示したｘｙ色度図である。図８Ａは、バックライト１２の輝度変更前の赤（Ｒ）、緑（Ｇ）、青（Ｂ）、黄（Ｙ）及び白（Ｗ）のｘ値、ｙ値、輝度を示し、図８Ｂは輝度変更後、即ち上述の処理を実行した後の各色のｘ値、ｙ値、輝度を示している。また、輝度変更の前後で各色が白色を構成する輝度の割合を示している。図８及び図９に示すように、輝度変更前においては、赤、緑、青及び黄が白色を構成する輝度の割合は、それぞれ１６％、３１％、８％及び９５％であり、所定の規格、例えば欧州規格のＥＢＵ（European Broadcasting Union：ヨーロッパ放送連合）と異なる白色構成比率を有している。
輝度変更後の赤、緑、青及び黄が白色を構成する輝度の割合は、それぞれ２１％、７１％、８％及び９３％であり、赤、緑、青の原色の輝度が向上していることが分かる。一般的に色再現範囲は広い方が好ましい。しかしながら評論家等のプロユーザやコンテンツ（フィルムソース等）によっては色再現範囲が所定の規格に準拠していることが望まれる場合もある。この点を考慮してユーザ或いはコンテンツにより自動的に最適状況を設定することが可能となる。
【００４５】
図１０は、輝度変更の前後における各原色が白を構成する輝度の割合、及びＲＥＣ７０９規格における白を構成する各原色の輝度の割合を示した図表である。図１０に示すように、４原色の液晶パネルモジュール１においては、単位表示面積あたりの赤、緑、青及び黄の画素の面積が小さく、信号補正前の赤、緑、青及び黄色が白を構成している輝度の割合は、青を除きＲＥＣ７０９規格で定められている輝度の割合よりも低くなっている。一方、バックライト１２の輝度変更後の赤、緑、青及び黄色が白を構成している輝度の割合は、それぞれ２１％、７１％、８％、９３％であり、ＲＥＣ７０９規格を満足している。
【００４６】
実施の形態にあっては、４原色の色純度を低下させることなく、各画素の輝度、特に赤及び緑の輝度を増加させることができる。４原色の液晶パネルモジュール１では、単位表示面積あたりの各画素カラーフィルタの面積が３原色液晶パネルに比べて小さく、原色の輝度が低下するという点が問題であるが、赤及び緑を表示する際、Ｒ−ＬＥＤ１２Ｒ及びＧ−ＬＥＤ１２Ｇの輝度をそれぞれ上昇させることによって、赤及び緑の輝度低下を補うことができる。また、黄は、赤及び緑の加法混色によって生成することができる色であり、赤及び緑と、黄とは相性が良い。このため、黄を表示する際にＲ−ＬＥＤ１２Ｒ及びＧ−ＬＥＤ１２Ｇの輝度を共に上昇させることによって、ＣＣＩＲのＲＥＣ７０９等の白色構成比率に近づけることが可能になる。
【００４７】
また、４原色の液晶パネルモジュール１においては、各原色の輝度が３原色液晶パネルに比べて低いため、白色を構成する各色の割合がＲＥＣ７０９から逸脱した値となってしまうという問題があるが、必要に応じて、赤及び緑の輝度を増加させることによって、白色を構成する各色の輝度の割合をＲＥＣ７０９に近付けることができる。
【００４８】
（変形例１）
変形例１に係る液晶テレビは、赤（Ｒ）、緑（Ｇ）、青（Ｂ）及びシアン（Ｃ）の４原色カラーフィルタ１１３を備えており、テレビ信号処理部７の処理内容が実施の形態と異なる。以下では、主に上記相異点について説明する。
【００４９】
図１１は、変形例１に係る４原色カラーフィルタ１１３の一構成例を模式的に示した説明図である。変形例１に係る４原色カラーフィルタ１１３は、図１１Ａ及び図１１Ｂに示すように、液晶パネル１１の各画素に対応するように配列した赤、緑、青及びシアンの４色の画素フィルタを有する。また、横方向に赤（Ｒ）、緑（Ｇ）、青（Ｂ）、シアン（Ｃ）の各画素フィルタを配列しても良い。
【００５０】
変形例１に係るテレビ信号処理部７のバックライトエリア制御回路７４は、液晶パネル１１の各領域において緑又は青を表示させる場合、バックライト１２の対応するエリア１２０におけるＧ−ＬＥＤ１２Ｇ又はＢ−ＬＥＤ１２Ｂの輝度を上昇させる。具体的には、各領域における緑又は青の信号レベルの平均値が第１信号レベル以上であり、かつ他の色の信号レベルの平均値が該第１信号レベルより小さい第２信号レベル未満である場合、バックライトエリア制御回路７４は、Ｇ−ＬＥＤ１２Ｇ又はＢ−ＬＥＤ１２Ｂの輝度を上昇させる。
【００５１】
またバックライトエリア制御回路７４は、各領域においてシアンを表示させる場合、対応するエリア１２０におけるＧ−ＬＥＤ１２Ｇ及びＢ−ＬＥＤ１２Ｂの輝度を上昇させる。具体的には、各領域におけるシアンの信号レベルの平均値が第１信号レベル以上であり、かつ他の色の信号レベルの平均値が第２信号レベル未満である場合、バックライトエリア制御回路７４は、Ｇ−ＬＥＤ１２Ｇ及びＢ−ＬＥＤ１２Ｂの輝度を上昇させる。
【００５２】
変形例１にあっては、４原色の色純度を低下させることなく、各画素の輝度、特に緑及び青の輝度を増加させることができる。また、白色を構成する各色の輝度の割合をＲＥＣ７０９に近付けることができる。
【００５３】
（変形例２）
赤（Ｒ）、緑（Ｇ）、青（Ｂ）及びマゼンタ（Ｍ）の４原色カラーフィルタ２１３を備えており、テレビ信号処理部７の処理内容が実施の形態と異なる。以下では、主に上記相異点について説明する。
【００５４】
図１２は、変形例２に係る４原色カラーフィルタ２１３の一構成例を模式的に示した説明図である。変形例２に係る４原色カラーフィルタ２１３は、図１２Ａ及び図１２Ｂに示すように、液晶パネル１１の各画素に対応するように配列した赤、緑、青及びマゼンタの４色の画素フィルタを有する。また、横方向に赤（Ｒ）、緑（Ｇ）、青（Ｂ）、マゼンタ（Ｍ）の各画素フィルタを配列しても良い。
【００５５】
変形例２に係るテレビ信号処理部７のバックライトエリア制御回路７４は、液晶パネル１１の各領域において赤又は青を表示させる場合、バックライト１２の対応するエリア１２０におけるＲ−ＬＥＤ１２Ｒ又はＢ−ＬＥＤ１２Ｂの輝度を上昇させる。具体的には、各領域における赤又は青の信号レベルの平均値が第１信号レベル以上であり、かつ他の色の信号レベルの平均値が該第１信号レベルより小さい第２信号レベル未満である場合、バックライトエリア制御回路７４は、Ｒ−ＬＥＤ１２Ｒ又はＢ−ＬＥＤ１２Ｂの輝度を上昇させる。
【００５６】
またバックライトエリア制御回路７４は、各領域においてマゼンタを表示させる場合、対応するエリア１２０におけるＲ−ＬＥＤ１２Ｒ及びＢ−ＬＥＤ１２Ｂの輝度を上昇させる。具体的には、各領域におけるマゼンタの信号レベルの平均値が第１信号レベル以上であり、かつ他の色の信号レベルの平均値が第２信号レベル未満である場合、バックライトエリア制御回路７４は、Ｒ−ＬＥＤ１２Ｒ及びＢ−ＬＥＤ１２Ｂの輝度を上昇させる。
【００５７】
変形例２にあっては、４原色の色純度を低下させることなく、各画素の輝度、特に赤及び青の輝度を増加させることができる。また、白色を構成する各色の輝度の割合をＲＥＣ７０９に近付けることができる。
【００５８】
（実施の形態２）
図１３は、テレビ信号処理部７の一構成例を示したブロック図である。本実施の形態２のテレビ信号処理部７は、色属性変更回路７１と、ガンマ補正回路７２と、色変換回路７３と、バックライトエリア制御回路７４とのほかに、システム制御部７５と、入力信号切換部７６と、コンテンツ判定部７７とを有する。なお、その他の構成は、上述の実施の形態１と同様であるので、同様の構成については同一の符号を付して説明を省略する。
【００５９】
入力信号切換部７６は複数の入力端子を有しており、１つの入力端子にはチューナ４が接続されている。また、他の入力端子には、例えばＢＤレコーダ、ハードディスクレコーダ、デジタルスチルカメラ、デジタルビデオカメラ、ゲーム機、ＰＣ（Personal Computer）、携帯端末機等の外部機器が接続可能である。なお、ＢＤレコーダ及びハードディスクレコーダは一体に構成されたものであってもよい。
【００６０】
システム制御部７５は、受付部８が受け付けた信号に基づいて、テレビ信号処理部７の各部の動作を制御する。使用者は、テレビ放送による映像信号を液晶テレビで視聴したい場合、又は、いずれかの外部機器に記録されている映像信号を液晶テレビで再生したい場合、遠隔操作装置（図示せず）を用いて、その旨を指示する。使用者がテレビ放送信号の視聴を指示した場合、システム制御部７５は、チューナ４からのカラー映像信号を選択する指示を入力信号切換部７６に与える。また、使用者がいずれかの外部機器の再生処理を指示した場合、システム制御部７５は、選択された外部機器からの映像信号を選択する指示を入力信号切換部７６に与える。
【００６１】
入力信号切換部７６は、システム制御部７５からの指示に従って１つの入力端子を選択し、選択した入力端子を介して入力される映像信号をコンテンツ判定部７７に与える。よって、使用者が選択した映像信号（テレビ放送信号又は外部機器からの映像信号）が、入力信号切換部７６によって適宜切り換えられて後段に与えられる。
【００６２】
なお、入力信号切換部７６とコンテンツ判定部７７との間に、例えば、ＡＤ変換回路、３ＤＹＣ分離回路、色空間変換回路等が必要に応じて設けられても良い。
ＡＤ変換回路は、入力信号切換部７６を介してアナログの映像信号が入力される場合、入力されたアナログの映像信号に対してアナログ／デジタル変換処理を行う。３ＤＹＣ分離回路は、入力信号切換部７６を介して入力される映像信号がコンポジット映像信号である場合に、時間的に前後する映像フレームに基づいて３次元Ｙ／Ｃ分離処理を行う。色空間変換回路は、入力信号切換部７６を介して入力された映像信号を、色属性変更回路７１が扱う色空間の映像信号に変換する。
【００６３】
コンテンツ判定部（判定部）７７は、入力信号切換部７６から与えられた映像信号に基づいて、映像信号のコンテンツとしてのジャンル（種類）を判定する。例えばテレビ放送信号にコンテンツ情報（ジャンル情報）が付加されている場合には、コンテンツ判定部７７は、入力された映像信号からコンテンツ情報を取得し、映像信号のジャンルを特定できる。コンテンツのジャンルとしては、例えば、映画、スポーツ、ニュース、バラエティ等がある。コンテンツ判定部７７は、映像信号から取得したコンテンツ情報、又はコンテンツ情報から特定したジャンルをシステム制御部７５に与える。なお、システム制御部７５は、使用者がテレビ放送信号の視聴を選択している場合にのみコンテンツ判定部７７に映像信号のジャンルを特定させる。
【００６４】
システム制御部７５は、コンテンツ判定部７７から与えられたコンテンツ情報又はジャンルに基づいてテレビ信号処理部７の各部の動作を制御することにより、コンテンツのジャンルに応じた最適な信号処理が可能となる。
コンテンツ判定部７７は、入力信号切換部７６から与えられた映像信号をそのまま色属性変更回路７１に与える。なお、入力信号切換部７６が、映像信号をコンテンツ判定部７７と共に色属性変更回路７１に与える構成とした場合、コンテンツ判定部７７は、入力信号切換部７６からの映像信号を色属性変更回路７１に与える必要はない。本実施の形態２の色属性変更回路７１は、コンテンツ判定部７７（又は入力信号切換部７６）から与えられた映像信号に対して処理を行う。
【００６５】
図１４は、実施の形態２のテレビ信号処理部７の処理手順を示したフローチャートである。本実施の形態２のテレビ信号処理部７は、受付部８が受け付けた信号に基づいて、入力信号切換部７６がテレビ放送信号を選択するか否かを判定する（Ｓ３１）。テレビ放送信号を選択すると判定した場合（Ｓ３１：ＹＥＳ）、テレビ信号処理部７は、コンテンツ判定部７７にて、テレビ放送によるカラー映像信号のジャンルを判別する（Ｓ３２）。
【００６６】
テレビ信号処理部７は、判別したジャンルが映画であるか否かを判定し（Ｓ３３）、映画であると判定した場合（Ｓ３３：ＹＥＳ）、第１表示モードに設定し（Ｓ３４）、処理を終える。なお、第１表示モードに設定した場合、テレビ信号処理部７は、上述の実施の形態１において図７で説明した処理と同様の処理を実行する。即ち、上述の実施の形態１において、表示モード受付部８ａで第１表示モードを受け付けた場合に行う処理を実行する。一方、判別したジャンルが映画でないと判定した場合（Ｓ３３：ＮＯ）、テレビ信号処理部７は、第２表示モードに設定し（Ｓ３５）、処理を終える。なお、第２表示モードに設定した場合、テレビ信号処理部７は、上述の実施の形態１において図７で説明した信号処理を実行しない。この場合、テレビ信号処理部７のバックライトエリア制御回路７４は処理を行わず、液晶パネルモジュール１のバックライト駆動回路部１５は、色変換回路７３から与えられた赤、緑、青及び黄の信号に基づいて各ＬＥＤ１２Ｒ，１２Ｇ，１２Ｂを駆動させる処理のみを行う。
【００６７】
ステップＳ３１で、入力信号切換部７６がテレビ放送信号を選択していないと判定した場合（Ｓ３１：ＮＯ）、即ち、入力信号切換部７６が外部機器からの映像信号を選択している場合、テレビ信号処理部７は、接続機器を特定する（Ｓ３６）。
テレビ信号処理部７は、特定した機器がデジタルスチルカメラ又はデジタルビデオカメラ（図１４ではまとめてデジタルカメラと記載）であるか否かを判定する（Ｓ３７）。特定した機器がデジタルカメラであると判定した場合（Ｓ３７：ＹＥＳ）、テレビ信号処理部７は、第２表示モードに設定し（Ｓ３５）、処理を終える。一方、特定した機器がデジタルカメラでないと判定した場合（Ｓ３７：ＮＯ）、テレビ信号処理部７は、第１表示モードに設定し（Ｓ３８）、処理を終える。
【００６８】
上述の処理により、使用者がテレビ放送信号を選択している場合には、テレビ放送信号のジャンルに最適な輝度の実現が可能となり、使用者が外部機器からの映像信号を選択している場合には、外部機器に最適な輝度の実現が可能となる。よって、テレビ放送信号のジャンルに応じて、又は外部機器に応じてそれぞれの映像信号に適切な画質を実現できる。
なお、上述の処理では、テレビ放送信号のジャンルが映画であるか否かによって、バックライトエリア制御回路７４による処理を実行させるか否かを切り替えたが、ジャンル毎に適宜切り替えてもよい。また、上述の処理では、外部機器がデジタルカメラであるか否かによって、バックライトエリア制御回路７４による処理を実行させるか否かを切り替えたが、機器毎に適宜切り替えてもよい。
【００６９】
図１４に示した処理では、テレビ放送信号が選択されている場合に、映像信号のジャンルに応じて信号処理を切り替えていたが、外部機器からの映像信号が選択されている場合にも、外部機器からの映像信号のジャンルに応じて信号処理を切り替えてもよい。この場合、システム制御部７５は、使用者がテレビ放送信号の視聴を選択している場合だけでなく、使用者が外部機器からの再生処理を選択している場合にも、コンテンツ判定部７７に映像信号のジャンルを特定させる。
【００７０】
図１５は、実施の形態２のテレビ信号処理部７の処理手順を示したフローチャートである。テレビ信号処理部７は、図１４に示したフローチャート中のステップＳ３１〜Ｓ３７と同様の処理を実行する。そして、テレビ信号処理部７は、特定した機器がデジタルカメラでないと判定した場合（Ｓ３７：ＮＯ）、特定した機器がゲーム機であるか否かを判定する（Ｓ３９）。特定した機器がゲーム機であると判定した場合（Ｓ３９：ＹＥＳ）、テレビ信号処理部７は、第１表示モードに設定し（Ｓ４０）、処理を終える。
【００７１】
一方、特定した機器がゲーム機でないと判定した場合（Ｓ３９：ＮＯ）、即ち、外部機器が例えばＢＤ、ハードディスク、ＰＣ又は携帯端末機であった場合、テレビ信号処理部７は、コンテンツ判定部７７にて、外部機器から入力された映像信号のジャンルを判別する（Ｓ４１）。外部機器は、テレビ放送信号を記録する際に、テレビ放送信号に付加されたコンテンツ情報も記録しており、液晶テレビにテレビ放送信号（映像信号）を出力する際にコンテンツ情報も出力する。よって、コンテンツ判定部７７は、外部機器から映像信号と共に入力されたコンテンツ情報に基づいて、ジャンルを特定できる。また、外部機器においては、テレビ放送信号以外の映像信号を記録する際に、使用者が手動でジャンルを登録できる機器もあり、このような機器を用いた場合、コンテンツ判定部７７は、外部機器から映像信号と共に入力されたジャンルの情報に基づいて、ジャンルを特定できる。
【００７２】
テレビ信号処理部７は、判別したジャンルが映画であるか否かを判定し（Ｓ４２）、映画であると判定した場合（Ｓ４２：ＹＥＳ）、第１表示モードに設定し（Ｓ４０）、処理を終える。一方、判別したジャンルが映画でないと判定した場合（Ｓ４２：ＮＯ）、テレビ信号処理部７は、第２表示モードに設定し（Ｓ４３）、処理を終える。
【００７３】
上述の処理により、使用者が外部機器からの映像信号を選択している場合に、機器毎だけでなく、外部機器からの映像信号のジャンルに最適な輝度の実現が可能となる。
なお、上述の処理では、デジタルスチルカメラ、デジタルビデオカメラ及びゲーム機以外の外部機器からの映像信号が選択されている場合に、映像信号のジャンルが映画であるか否かによって、バックライトエリア制御回路７４による処理を実行させるか否かを切り替えた。このような構成のほかに、デジタルスチルカメラ、デジタルビデオカメラ又はゲーム機からの映像信号についても、ジャンル毎に処理を適宜切り替えてもよい。
【００７４】
本実施の形態２のテレビ信号処理部７は、入力信号切換部７６によって切り替えられた映像信号に応じて、バックライトエリア制御回路７４による処理を実行させるか否かを切り替える構成である。更に、入力信号切換部７６によって切り替えられた映像信号に応じて、即ち、バックライトエリア制御回路７４による処理を実行させるか否かに応じて、ガンマ補正回路７２が行うガンマ補正処理を適宜切り替える構成としてもよい。具体的には、バックライトエリア制御回路７４による処理を実行するか否かに応じて、ガンマ補正回路によるガンマ補正処理に用いるガンマカーブを変更する。この場合、使用者が選択したコンテンツ（映像信号）に応じて、ＲＥＣ７０９規格を満足した白色構成比率を実現できるだけでなく、ガンマカーブの最適化も可能となり、より最適な視聴環境を提供することができる。しかも、この場合の色再現範囲についても４原色の最大の強みである高色再現範囲をキープしたままにするか、フィルム等のコンテンツでＲＥＣ７０９に沿った色再現範囲を設定するかを選択することが可能となる。更に例えば、使用者が映画コンテンツを視聴する場合に、映画コンテンツに最適なガンマカーブ（２．２乗）を提供することができる。
【００７５】
本実施の形態２における液晶テレビにおいても、変形例１，２を含み、上述の実施の形態１で説明した変形例と同様の変形例の適用が可能である。
【００７６】
今回開示された実施の形態はすべての点で例示であって、制限的なものでは無いと考えられるべきである。また、液晶テレビはチューナやＢＤ等の再生装置を含むものはもとより、その外部からパーソナルコンピューター等の映像信号を入力するものも含まれる。すなわち、本発明の範囲は、上記した意味では無く、特許請求の範囲によって示され、特許請求の範囲と均等の意味及び範囲内でのすべての変更が含まれることが意図される。
【符号の説明】
【００７７】
１  液晶パネルモジュール
２  フロントキャビネット
３  バックキャビネット
４  チューナ（映像受信部）
５  電気回路
６  スタンド
７  テレビ信号処理部
８  受付部
８ａ  表示モード受付部（要否受付部）
１１  液晶パネル
１２  バックライト
１３，１１３，２１３  ４原色カラーフィルタ
１４  液晶駆動回路部
１５  バックライト駆動回路部
７１  色属性変更回路
７２  ガンマ補正回路（ガンマ補正処理部）
７３  色変換回路
７４  バックライトエリア制御回路（バックライト制御部）
７５  システム制御部
７６  入力信号切換部
７７  コンテンツ判定部（判定部）
【図１】
2013134458.tif 000003
【図２】
2013134458.tif 000004
【図３】
2013134458.tif 000005
【図４】
2013134458.tif 000006
【図５】
2013134458.tif 000007
【図６】
2013134458.tif 000008
【図７】
2013134458.tif 000009
【図８】
2013134458.tif 000010
【図９】
2013134458.tif 000011
【図１０】
2013134458.tif 000012
【図１１】
2013134458.tif 000013
【図１２】
2013134458.tif 000014
【図１３】
2013134458.tif 000015
【図１４】
2013134458.tif 000016
【図１５】
2013134458.tif 000017